(57)【要約】      （修正有）【課題】化粧用ブラシを、全て真っすぐに立てたり、コンパクトに保管するために並べて配置したり、簡単に識別できるようにしたり、衛生的に使用したりでき、ダメージを受けにくく、または摩耗しにくくなる化粧用ブラシ及びキャニスタを提供する。【解決手段】ブラシ１０は、繊維のブラシヘッド２０、繊維を保持する口金３０、及び口金に連結されるブラシ柄４０を備える。ブラシ柄は、化粧用ブラシの保持に適した鋼板などの強磁性部５０を、口金３０から遠位のベースに有する。キャニスタは複数の化粧用ブラシを保持し、使用に合わせて配置可能な強磁性面で形成されたトレイと、強磁性材料から形成された略矩形フレームとを有し、フレームをぴったりと受け止める、適合する略矩形形状を有するキャリーバッグを含む。【選択図】図１
0003196136.tif 000002
【実用新案登録請求の範囲】
【請求項１】
繊維のブラシヘッド、前記ブラシヘッドの前記繊維を保持する口金、及び前記口金に連結されるブラシ柄を備える化粧用ブラシであって、前記ブラシ柄は、前記口金から遠位のベースにおいて、協同する強磁性面に対して前記化粧用ブラシを保持する磁性部を有する
化粧用ブラシ。
【請求項２】
前記磁性部は円形であり、前記ブラシ柄の円形の前記ベースに面一に固定される
請求項１に記載の化粧用ブラシ。
【請求項３】
前記磁性部は略平坦なベースを有する
請求項１または２に記載の化粧用ブラシ。
【請求項４】
前記磁性部は、希土類の強磁性材料で形成される永久強磁性部である
請求項１から３の何れか一項に記載の化粧用ブラシ。
【請求項５】
請求項１から４の何れか一項に記載の、１または複数の化粧用ブラシ、及び（ａ）片方または両方の端部に、前記複数の化粧用ブラシを保持するための協同する強磁性面を有する保管用キャニスタであり、前記複数の化粧用ブラシの複数のブラシヘッドが保管中にダメージを受けるのを防ぐ保管用キャニスタと、（ｂ）前記複数の化粧用ブラシを保持するための、強磁性面で形成されるトレイであり、前記複数の化粧用ブラシの前記複数のブラシヘッドを使用に合わせて配置可能なトレイと、（ｃ）前記複数の化粧用ブラシを保持するための、強磁性材料から形成された略矩形フレームであり、前記複数の化粧用ブラシの前記複数のブラシヘッドを使用に合わせて配置可能な略矩形フレームと、（ｄ）前記フレームをぴったりと受け止める、適合する略矩形形状を有するキャリーバッグと、を含む群から選択される１または複数の協同するアクセサリ、を含む
キット。
【考案の詳細な説明】
【技術分野】
【０００１】
本考案は、メイク用ブラシ及び関連する化粧用ブラシ、及びそのようなブラシのための保管用キャニスタ等に関する。
【背景技術】
【０００２】
プロのメイク用ブラシは、消費者レベルの製品に比べて高品質な作りになっている。プロのメイク用ブラシは一般的に、最高級の天然繊維を使用して作られる。天然繊維は、合成繊維またはよりグレードの低い天然繊維に比べて一般的により柔らかい。よりグレードの高い天然繊維はブラシを長持ちもさせ、長期間その形状をより良く維持するはずである。ほとんどのメーキャップアーティストは天然繊維を使用して作られたブラシを好む。なぜなら、きれいに化粧をのせるために、丁度いい量の製品を保ち、製品をなめらかに混ぜ合わせるという点が、これらを使うと一般的にもっとうまくいくからである。
【０００３】
口金は、ブラシ柄を毛に連結する、材料の一部品である。プロのメイク用ブラシの口金は、一般的にニッケルの口金またはアルミニウムの口金である。ニッケルは最高品質の口金材料であり、アルミニウムはよい代替になり得る。メイク用ブラシは定期的にきれいに手入れをするべきものであり、その際ブラシに与える損耗のために、高品質の口金はメイク用ブラシの最も重要な部品の１つである。高品質の口金は、毛と柄との間の締り嵌めを維持し、毛の脱落を防ぐであろう。
【０００４】
市場に出回るメイク用ブラシの大多数が木材からできる柄を有するが、その材料及び形状は個人の好みによるところが大きい。メーキャップアーティストは、長い柄の方がクライアントに用い易いと分かっているので、プロのメイク用ブラシの柄は長い柄になる傾向がある。しかしながら、ブラシの長さは変えることができ、これも個人の好みとなる傾向がある。
【０００５】
プロのメーキャップアーティストは、クライアントと仕事をする際、実にたくさんの数のブラシに頼る。これらのブラシの整理、保管及び持ち運びは、特にクライアントにサービスを提供するために出向く場合、及び定期的に多数の場所で仕事をする場合、特に問題であり、どの専門家にとっても物流上の大きな挑戦である。
【０００６】
前述を踏まえ、少なくとも、既存製品のこれらの及び他の限界に対処しようと試みる、化粧用ブラシの改良が必要とされている。
【考案の概要】
【課題を解決するための手段】
【０００７】
考案概念は、化粧用ブラシの整理、持ち運び、及び手入れの鍵は、ブラシの毛にダメージを与えない、コンパクトで信頼性のある保管に有利に関与しているという認識から生じる。
【０００８】
本考案は、一態様において、繊維のブラシヘッド、その繊維を保持する口金、及びその口金に連結される柄を備える化粧用ブラシを提供する。柄は、鋼板などの協同する表面に対する化粧用ブラシの保持に適した磁性部を、口金から遠位のベースに有する。
【０００９】
ブラシの整理、保管、及び持ち運びの問題は、言い換えれば、ブラシヘッドから遠位の、化粧用ブラシの端部を磁化し、協同する強磁性面に対して化粧用ブラシが使いやすいように保持可能になることによって解決される。
【００１０】
磁性部は円形で、ブラシ柄の円形のベースに面一に固定されるのが好ましい。
【００１１】
磁性部は略平坦なベースを有し、強磁性材料、理想的には希土類永久磁石であるのが好ましい。
【００１２】
ブラシは、ブラシの柔軟な配置及び整理を可能にする、めっきした強磁性面と一体化して、トレイ、キャニスタ、及びフレームなどの、付属の協同するアクセサリと共に使用可能であるのが好ましい。
【００１３】
本考案はさらなる態様において、本考案の第１の態様による、１または複数の化粧用ブラシ、と、（ａ）片方または両方の端部に、化粧用ブラシを保持するための協同する強磁性面を有する保管用キャニスタであり、化粧用ブラシのブラシヘッドが保管中にダメージを受けるのを防ぐ保管用キャニスタと、（ｂ）化粧用ブラシを保持するための、強磁性面で形成されるトレイであり、化粧用ブラシのブラシヘッドを使用に合わせて配置可能なトレイと、（ｃ）化粧用ブラシを保持するための、強磁性材料から形成された略矩形フレームであり、化粧用ブラシのブラシヘッドを使用に合わせて配置可能な略矩形フレームと、（ｄ）フレームをぴったりと受け止める、適合する略矩形形状を有するキャリーバッグと、を含む群から選択される１または複数と、を含むキットを含む。
【００１４】
本考案の利点は、多岐に及ぶ。化粧用ブラシは、ベンチに横たわるのではなく、しっかりと磁性表面の上に真っすぐに立てることが可能で、または代替的に、他の向きに配置可能である。結果的に、プロのメーキャップアーティストは、作業空間を効果的に配置及び整理でき、化粧用ブラシを、全て真っすぐに立てたり、コンパクトに保管するために並べて配置したり、簡単に識別できるようにしたり、衛生的に使用（すなわち、他の表面と接触しない）したりできる。ブラシは、本来なら受ける損耗を回避した結果、はるかに、ダメージを受けにくく、または摩耗しにくくなる。
【００１５】
協同する磁性表面を有する保管用キャニスタは、これらの利点をブラシの保管及び持ち運びに拡張する。
【００１６】
略矩形フレームにすることによってブラシを使いやすく整理可能になり、ブラシを所望の配置で容易に持ち運び可能なキャリーバッグと協同する。
【図面の簡単な説明】
【００１７】
【図１】本考案のある実施形態による、ベースに取り入れた強磁性体を有する化粧用ブラシを示す。
【００１８】
【図２】磁気を帯びたベースを有するキャニスタに保管された、図１に示すタイプの複数のブラシを示す。
【００１９】
【図３】トレイ及びカップアクセサリと共に用いた、図１に示すタイプの、複数のブラシを示す。
【００２０】
【図４】図１から図３に示すタイプのブラシと共に用いた、磁性フレームを示す。
【００２１】
【図５】適合するキャリーバッグの中及び傍の両方に配置された、図４の磁性フレームを示す。
【考案を実施するための形態】
【００２２】
図１は、本考案の例に応じて提供される化粧用ブラシ１０を示す。
【００２３】
ブラシ１０は、ブラシヘッド２０、口金３０、柄４０、及び強磁性部５０を備える。
【００２４】
ブラシヘッド２０、口金３０、及びブラシ柄４０は任意の適切な従来の製造業者のものであってよい。
【００２５】
ブラシ柄４０は、口金３０から遠位にある端部に強磁性部５０を有する。これは任意の適切なタイプの、簡易なマグネットであり、ブラシが、強磁性部５０上でバランスを保つことができる、理想的には、ブラシ１０全重量を支持するのに、概して十分な磁力を有する。
【００２６】
強磁性部５０は、接着剤を用いて、またはプレス嵌め、などの任意の適切な手段によって、ブラシ柄４０に取り付けることができる。
【００２７】
強磁性部は、理想的にはテーブル形状、すなわち一定の厚みを持った円形のディスクであるのがよい。美的外観による恩恵を得るために、強磁性部５０の断面は、少なくともブラシ柄４０に取り付けるところにおいては、ブラシ柄４０の断面と一致するのが好ましい。これにより、継ぎ目の目立たない面一な取り付けが可能になる。
【００２８】
さらに、強磁性部５０のサイズは最小限に小さいのが一般的に好ましい。それは厚みが最小限に薄いことを要する。従って、容易にブラシ１０のバランスを取り、かつ支持可能でありながら、最小サイズの磁性部が使用可能なように、高強度の磁性材料であることが好ましい。よって、希土類材料の強磁性部５０が好ましい。
【００２９】
明らかに、強磁性部５０が、ブラシ１０の付着する、作用する磁気表面からそれを容易に取り外すのが困難になるほど強力であるのは望ましくない。メーキャップアーティストは通常訪問し、迅速かつ効率的に仕事をするのであり、この点における機敏さが、過度に「貼り付き」付着することによって損なわれるべきではない。
【００３０】
鋼板または鋼製トレイは、そのような協同する表面として用いられ得て、または鋼製の定規に似た鋼のストリップもまた、この目的のために使用され得る。標準グレードの鋼は常磁性であるので、強磁性部５０は磁気引力によって付着する。支持表面はテーブル上に置かれてもよく、それどころか、ブラシを吊り下げる状態で、張出し機構の下側に取り付けれられてもよい。必要に応じて、いかなる適切な向きも採用され得る。
【００３１】
図２は、図１を参照して上述したタイプのブラシと共に用いられ得る保管用キャニスタ１００を示す。
【００３２】
キャニスタ１００は2つの部位を備える。すなわち基部１１０及び蓋１２０である。これら2つの部品は、任意の適切な方法で対になり得る。一例として、プレス嵌めの蓋は基部をふさぎ得る。図示するように、基部１１０及び蓋１２０は、これらの係合部品１１０、１２０の入れ子式の係合によってぴったり嵌った状態で係合される。基部１１０、及び、任意で、または代替的に蓋１２０は、図１を参照して上述したタイプの１または複数の化粧用ブラシを保持かつ固定する鋼板などの、協同する表面で内嵌される。
【００３３】
ブラシを中に保持し、保管用キャニスタの内側面または他のブラシにぶつかるのを避けることにより、持ち運び中に受けるダメージを効果的に防ぐ、異なる保管用間仕切りが様々考えられる。
【００３４】
したがって、そのようなキャニスタ１００を使用して、そのようなブラシを保管または持ち運ぶとき、化粧用ブラシに生じる利点を、また利用可能である。
【００３５】
図３は、付属のアクセサリ、すなわちトレイ２００及びカップ３００と共に用いた場合の、図１に示すタイプのブラシ１０の使用を示す。トレイ２００は、平らな表面を備え、それは鋼板が組み込んであり、いくつかのそのようなブラシ１０を使用中に配置できる。ベースの内側に鋼板を有するカップ３００が同様に備えられ、１または複数のブラシを配置することができ、かつグループにまとめて分かりやすくすることができる。
【００３６】
図４はブラシ１０と共に用いるのによく適し、１または複数のブラシ１０、及び／または、トレイ２００及びコンテナ３００などの他の部品と共にキットを形成するのが好ましいフレーム４００を示す。
【００３７】
フレーム４００は、略矩形形状であり、適切なグレードの鋼などの強磁性材料の帯として形成される。図示するように、フレーム４００は、形状は略四角形であるが、任意の適切な形状を採用できる。フレーム４００は、押圧、または図示する略矩形形状に形成された、鋼の平らな帯またはストリップから作られる。  フレーム４００の角は丸めてあり、好ましい外観をフレーム４００に添えている。これは押圧の結果として容易に得られるものである。
【００３８】
フレーム４００が作られる帯またはストリップの両端は、示されるように、フレーム４００の底部において交わり、接合され、きれいな仕上がりを実現している。任意の適切なタイプの締結具など、他の固定手段もまた必要に応じて用いられる。フレーム４００全体は、例えば、マットブラックに粉末塗装仕上げされるのが好ましい。ゴム足（図示せず）を、任意で、フレーム４００の四隅のそれぞれに、フレームの下面に沿って接着してもよい。
【００３９】
トレイ２００同様、フレーム４００はブラシ１０を保持可能な表面を提供する。フレーム４００に特有の特徴は、図４に図示するように、ブラシを垂直下方に吊り下げて保持する（コウモリのように）ことも、垂直上方に突き出し、起立させることもできるという点である。こうすることで、使用中簡単に手に取ることができ、しかしフレームによって、ぶつからないように守られることを可能にする方法で、ブラシ１０をフレーム内で「保護」することを可能にする。それはこぎれいな外観をも提供する。
【００４０】
比較的たくさんのブラシ１０のコレクションを、比較的狭い作業スペースを占有し、小さい作業空間内で扱うことが可能で、個々にブラシ１０を集めて動かすように気遣う必要もなく、必要に応じて移動もできる。
【００４１】
さらに、ブラシ１０は、望むなら、フレーム４００の両面から外に向かって、フレームの内側または外側に飛び出させ、または、フレーム４００の上に立たせることもできる。こうすれば、使用中に異なるブラシを手軽に分類するのに役立ち得る。
【００４２】
フレーム４００は、ブラシ１０と共に用いれば、様々な使用上の利点を提供する。これらは主に、ブラシ１０の簡便な整理に関する。さらに、ブラシを浮かせて保つことができることで、形状を保持しながら、ブラシをほどよく乾燥させることができる。これらの利点が以下に詳述される。
【００４３】
・整理−磁気を帯びたブラシのベースのおかげで、フレームを使用して、磁気を帯びたブラシ１０は垂直に（真っ直ぐと逆さまとの両方）保管できるだけでなく、フレームの内側及び外側に水平方向に整頓もできる。
【００４４】
・ブラシ１０の乾燥−ブラシ１０を逆さにつるして乾燥させることによって、水が口金３０に浸み込まない。接着剤を使用して固定している場合は、水分が糊を柔らかくする可能性があり、結果、締め付けを弱めることになる（そしてブラシヘッド２０からブラシの毛が脱落することになる）。さらに、ブラシ１０を逆さにして乾燥させることにより、水と木製の柄４０との接触を阻止することもできる。木がぬれると膨張して、結果的に木４０のニスに亀裂が入ることもしばしば起こる。
【００４５】
・形状保持−ブラシ２０を逆さにして乾燥させた場合、意図した形状を保持する（または戻す）傾向にある。それとは対照的に、ブラシ１０を面上に平らに寝かせておくと、ヘッドの片側は平たくなり、均一に乾かない傾向にある。ブラシヘッド２０の毛は、また、互いにかたまる。
【００４６】
図５は、適合するキャリーバッグ５００の傍及び内側の両方に代替的に配置されたフレーム４００を示す。キャリーバッグ５００は、その中にフレーム４００がぴったりと収まるような大きさであり、ブラシの整った配置を保持しつつ、フレームを持ち運びできる。都合のいいことに、キャリーバッグ５００にフレーム４００がぴったり嵌ることで、フレーム４００がキャリーバッグ５００内で過度に動き回ることを防ぐ。動き回ると、ブラシが外れかねない。故に、キャリーバッグ５００は略矩形形状でもあり、それが運ぶフレーム４００よりもわずかに大きく、フレーム４００に適応した深さを有する。キャリーバッグはナイロン材料製で、蝶番で動き、ジッパーを配置することで開け閉めするのが好ましい。キャリーバッグ５００はその他、任意の適切な構造のものであり、このタイプのかばんに典型的な様々な特徴を具現化し得る。
【００４７】
保管用キャニスタ１００、トレイ２００、カップ３００、フレーム４００及びキャリーバッグ５００は全て、本明細書において説明及び示したように、それらが共に用いられるブラシ１０の有用性と利便性を拡張する役割を果たす。
【００４８】
関連する技術分野における当業者には明らかなように、上述した化粧用ブラシ、保管用キャニスタ、キャリーバッグ及びキットに対する様々な変更が可能である。
【図１】
0003196136.tif 000003
【図２】
0003196136.tif 000004
【図３】
0003196136.tif 000005
【図４】
0003196136.tif 000006
【図５】
0003196136.tif 000007